(57)【要約】【課題】接続部を電機子コイルの外周に容易に固定できる磁石発電機用電機子を得る。【解決手段】電機子鉄心に絶縁ボビンを介して電機子コイルを巻装する。電機子コイルの端部に外部引出しコードを接続部で接続する。絶縁ボビンの両側の鍔部には脚取付け部をそれぞれ設ける。電機子コイルの外周の一部には、接続部固定絶縁板１１を、その各脚部１１ａ，１１ｂを各鍔部の脚取付け部に取付けて支持させる。接続部固定絶縁板１１に設けた接続部ホルダー１２には、接続部７ａ，７ｂを支持させる。【選択図】  図２
2004260872.tif 000002
【特許請求の範囲】
【請求項１】
電機子鉄心に絶縁ボビンを介して電機子コイルが巻装され、該電機子コイルの巻始め端部と巻終り端部とにそれぞれの外部引出しコードが接続部でそれぞれ接続され、これら接続部が前記電機子コイルの外周に固定されている磁石発電機用電機子において、
前記絶縁ボビンの両側の鍔部には脚取付け部がそれぞれ設けられ、前記電機子コイルの外周の一部には接続部固定絶縁板がその各脚部を前記各鍔部の前記脚取付け部に取付けて支持され、前記接続部固定絶縁板には接続部ホルダーが支持され、前記接続部ホルダーには前記接続部が支持されていることを特徴とする磁石発電機用電機子。
【発明の詳細な説明】
【０００１】
【発明の属する技術分野】
本発明は、磁石発電機用電機子に関するものである。
【０００２】
【従来の技術】
磁石発電機は、例えばカップ状に形成されたフライホイールの内周面に永久磁石を取付けた磁石回転子と、該磁石回転子の磁極にギャップを介して対向する磁極部を有する電機子鉄心に絶縁ボビンを介して電機子コイルを巻装した電機子とにより構成されている。磁石回転子は例えば内燃機関の如き駆動源の回転軸に支持され、電機子は内燃機関のケース等に固定される。
【０００３】
このような磁石発電機の電機子においては、電機子コイルの巻始め端部と巻終り端部とにそれぞれの外部引出しコードが圧着スリーブによる圧着で形成された接続部でそれぞれ接続され、各接続部に絶縁チューブがそれぞれ被せられ、これら接続部が電機子コイルの外周にテーピング等により固定されている（例えば、特許文献１参照。）。
【０００４】
【特許文献１】
実開昭５７−１８３０３９号公報
【０００５】
【発明が解決しようとする課題】
しかしながら、このような磁石発電機用電機子では、接続部を電機子コイルの外周に固定する作業に手間がかかり、作業能率が悪い問題点があった。
【０００６】
本発明の目的は、接続部を電機子コイルの外周に容易に固定できる磁石発電機用電機子を提供することにある。
【０００７】
【課題を解決するための手段】
本発明は、電機子鉄心に絶縁ボビンを介して電機子コイルが巻装され、該電機子コイルの巻始め端部と巻終り端部とにそれぞれの外部引出しコードが接続部でそれぞれ接続され、これら接続部が電機子コイルの外周に固定されている磁石発電機用電機子を対象とする。
【０００８】
本発明に係る磁石発電機用電機子では、絶縁ボビンの両側の鍔部には脚取付け部がそれぞれ設けられ、電機子コイルの外周の一部には接続部固定絶縁板がその各脚部を各鍔部の脚取付け部に取付けて支持され、接続部固定絶縁板には接続部ホルダーが支持され、接続部ホルダーには接続部が支持されていることを特徴とする。
【０００９】
このように接続部固定絶縁板を用い、この接続部固定絶縁板の各脚部を絶縁ボビンの各鍔部に設けた脚取付け部に取付けるので、容易に接続部固定絶縁板を絶縁ボビンに取付けることができる。この接続部固定絶縁板は接続部ホルダーを支持していて、この接続部ホルダーに接続部を支持させるので、接続部の電機子コイルの外周に対する固定を容易に能率よく行うことができる。
【００１０】
【発明の実施の形態】
図１乃至図４は本発明に係る磁石発電機用電機子の実施の形態の一例を示したもので、図１は本例で用いる電機子の斜視図、図２（Ａ）（Ｂ）（Ｃ）は本例で用いる接続部固定絶縁板の斜視図、その左右の側面図、図３は電機子コイルの巻始め端部と巻終り端部とにそれぞれの外部引出しコードとの接続部の形成前の斜視図、図４は本例で用いる絶縁チューブ被覆接続部の正面図である。
【００１１】
本例の磁石発電機用電機子では、両端に磁極部１ａを有するＩ形の電機子鉄心１を備え、その磁極部１ａ，１ｂで挟まれた中間部に半割りの絶縁ボビン２を介して電機子コイル３が巻装されている。絶縁ボビン２はその巻胴（図示せず）の両端に鍔部２ａ，２ｂが突設されている。電機子コイル３の外周は、絶縁テープ層４で被覆されている。電機子コイル３の巻始め端部３ａと巻終り端部３ｂとには、それぞれの外部引出しコード５ａ，５ｂの導体５ａａ，５ｂｂが圧縮スリーブ６ａ，６ｂの圧縮により図４に示すように接続されて接続部７ａ，７ｂが形成されている。これら接続部７ａ，７ｂの外周には、合成樹脂で形成された絶縁チューブ８ａ，８ｂが被せられ絶縁チューブ被覆接続部９ａ，９ｂが形成されている。接続部７ａ，７ｂに対する絶縁チューブ８ａ，８ｂの被せ作業は、例えば予め外部引出しコード５ａ，５ｂに絶縁チューブ８ａ，８ｂを嵌めて、次の作業の邪魔にならない位置に移動しておき、接続部７ａ，７ｂの形成後に、各絶縁チューブ８ａ，８ｂを接続部７ａ，７ｂの外周に戻すことにより被覆することができる。
【００１２】
絶縁ボビン２の両側の鍔部２ａ，２ｂには、直交する向きで脚取付け部１０ａ，１０ｂがそれぞれ突設されている。これら脚取付け部１０ａ，１０ｂには、差込み孔１０ａａ，１０ｂｂが設けられている。
【００１３】
電機子コイル３の外周の一部には、合成樹脂の成型品よりなる接続部固定絶縁板１１がその両端の各脚部１１ａ，１１ｂを、絶縁ボビン２の各鍔部２ａ，２ｂに設けられている脚取付け部１０ａ，１０ｂの差込み孔１０ａａ，１０ｂｂに差込んで取付けられている。この接続部固定絶縁板１１の正面中央には、接続部ホルダー１２が一体成形で支持されている。この接続部ホルダー１２には、接続部支持溝１３ａ，１３ｂが並設されている。接続部ホルダー１２のこれら接続部支持溝１３ａ，１３ｂには、絶縁チューブ被覆接続部９ａ，９ｂがそれぞれ嵌め込まれて支持（把持）されている。
【００１４】
このように形成された磁石発電機用電機子には、接続部ホルダー１２による絶縁チューブ被覆接続部９ａ，９ｂの支持箇所を含めて図示しないが粘着層を有する絶縁テープが巻回されて押さえられている。
【００１５】
このように接続部固定絶縁板１１を用い、この接続部固定絶縁板１１の各脚部１１ａ，１１ｂを絶縁ボビン２の各鍔部２ａ，２ｂに設けた脚取付け部１０ａ，１０ｂに取付けているので、容易に接続部固定絶縁板１１を絶縁ボビン２に取付けることができる。この接続部固定絶縁板１１は接続部ホルダー１２を支持していて、この接続部ホルダー１２に絶縁チューブ被覆接続部９ａ，９ｂを支持させるので、絶縁チューブ被覆接続部９ａ，９ｂの電機子コイル３の外周に対する固定を容易に能率よく行うことができる。
【００１６】
上記例では、接続部ホルダー１２に２個の接続部支持溝１３ａ，１３ｂを並設して絶縁チューブ被覆接続部９ａ，９ｂを別々に支持させたが、１個の接続部支持溝を設けて、これに２個の絶縁チューブ被覆接続部９ａ，９ｂを支持させてもよい。
【００１７】
上記例のように接続部ホルダー１２が独立した接続部支持溝１３ａ，１３ｂを備えていると、接続部７ａ，７ｂの外周を絶縁チューブ８ａ，８ｂで覆わず、裸の接続部７ａ，７ｂを接続部支持溝１３ａ，１３ｂに嵌めて支持させることもできる。
【００１８】
【発明の効果】
本発明に係る磁石発電機用電機子では、接続部固定絶縁板を用い、この接続部固定絶縁板の各脚部を絶縁ボビンの各鍔部に設けた脚取付け部に取付けているので、容易に接続部固定絶縁板を絶縁ボビンに取付けることができる。この接続部固定絶縁板は接続部ホルダーを支持していて、この接続部ホルダーに接続部を支持させるので、接続部の電機子コイルの外周に対する固定を容易に能率よく行うことができる。
【図面の簡単な説明】
【図１】本発明に係る磁石発電機用電機子の実施の形態の一例を示した斜視図である。
【図２】（Ａ）（Ｂ）（Ｃ）は本例で用いる接続部固定絶縁板の斜視図、その左右の側面図である。
【図３】電機子コイルの巻始め端部と巻終り端部とにそれぞれの外部引出しコードとの接続部の形成前の斜視図である。
【図４】本例で用いる絶縁チューブ被覆接続部の正面図である。
【符号の説明】
１  電機子鉄心
１ａ，１ｂ  磁極部
２  絶縁ボビン
２ａ，２ｂ  鍔部
３  電機子コイル
３ａ  巻始め端部
３ｂ  巻終り端部
４  絶縁テープ層
５ａ，５ｂ  外部引出しコード
５ａａ，５ｂｂ  導体
６ａ，６ｂ  圧縮スリーブ
７ａ，７ｂ  接続部
８ａ，８ｂ  絶縁チューブ
９ａ，９ｂ  絶縁チューブ被覆接続部
１０ａ，１０ｂ脚取付け部
１０ａａ，１０ｂｂ  差込み孔
１１  接続部固定絶縁板
１１ａ，１１ｂ  脚部
１２  接続部ホルダー
１３ａ，１３ｂ  接続部支持溝
【図１】
2004260872.tif 000003
【図２】
2004260872.tif 000004
【図３】
2004260872.tif 000005
【図４】
2004260872.tif 000006